(57)【要約】【課題】  操作者が画像形成装置に近接する位置にいることを検知している間、実行されるジョブの種類に適応して処理手段への電力の供給が停止させるスリープ状態へ移行させないように制御する。【解決手段】    省電力制御を処理手段毎に行う画像形成装置において、ジョブを受け付けた後、当該受け付けたジョブを処理した場合、検知手段が画像形成装置に近接する領域で当該ジョブの操作を行った人体を検知している間、受け付けたジョブの種類に応じて処理手段への電力の供給が停止させるスリープ状態へ移行させないように制御することを特徴とする。【選択図】  図２
2015099172.tif 000002
【特許請求の範囲】
【請求項１】
ジョブを受け付ける受付手段と、
受け付けたジョブを処理する処理手段と、
画像形成装置に接近する人体を検知する検知手段と、
前記処理手段がジョブを終了した後、前記検知手段が前記人体を検知している間、受け付けたジョブの種類に応じて、前記処理手段への電力の供給が停止されるスリープ状態へ移行させないように制御する制御手段と、
を備えることを特徴とする画像形成装置。
【請求項２】
前記制御手段は、
受け付けたジョブが第１種類のジョブである場合には、前記処理手段がジョブを終了した後、前記検知手段が前記人体を検知している間は、前記処理手段への電力の供給を維持し、
受け付けたジョブが第２種類のジョブである場合には、前記処理手段がジョブを終了した後、前記処理手段への電力の供給を遮断する、ことを特徴とする請求項１に記載の画像形成装置。
【請求項３】
ジョブを受け付ける受付手段と、
受け付けたジョブを処理する複数の処理手段と、
原稿を押圧する圧板手段と、
前記圧板手段の開閉状態を検知する検知手段と、
前記処理手段がジョブを終了した後、前記検知手段が前記開閉状態を検知している間、受け付けたジョブの種類に応じて、電源手段からいずれかの処理手段へ供給する電源を省電力状態へ遷移させないように制御する制御手段と、
を備えることを特徴とする画像形成装置。
【請求項４】
前記制御手段は、前記処理手段がジョブを終了した後、前記検知手段が前記人体を検知していない場合、電源手段から前記処理手段へ供給する電源を省電力状態へ遷移させるように制御することを特徴とする請求項１記載の画像形成装置。
【請求項５】
前記制御手段は、前記処理手段がジョブを終了した後、前記検知手段が前記圧板手段の開閉変化を検知していない場合、電源手段から前記処理手段へ供給する電源を省電力状態へ遷移させるように制御することを特徴とする請求項３記載の画像形成装置。
【請求項６】
前記処理手段は、プリント手段、スキャナ手段、画像処理手段、メモリ手段、データ通信手段を含むことを特徴とする請求項１または３記載の画像形成装置。
【請求項７】
前記検知手段は、人体が放射する赤外線を検知することを特徴とする請求項１記載の画像形成装置。
【請求項８】
受け付けたジョブを処理する処理手段を備える画像形成装置の制御方法であって、
ジョブを受け付ける受付工程と、
画像形成装置に接近する人体を検知する検知工程と、
前記処理手段がジョブを終了した後、前記検知工程が前記人体を検知している間、受け付けたジョブの種類に応じて、前記処理手段への電力の供給が停止されるスリープ状態へ移行させないように制御する制御工程と、
を備えることを特徴とする画像形成装置の制御方法。
【請求項９】
ジョブを処理する複数の処理手段と、原稿を押圧する圧板手段とを備える画像形成装置の制御方法であって、
ジョブを受け付ける受付工程と、
受け付けたジョブを処理する複数の処理工程と、
前記圧板手段の開閉状態を検知する検知工程と、
前記処理工程がジョブを終了した後、前記検知工程が前記開閉状態を検知している間、受け付けたジョブの種類に応じて、電源手段からいずれかの処理工程で使用するいずれかの処理手段へ供給する電源を省電力状態へ遷移させないように制御する制御工程と、
を備えることを特徴とする画像形成装置の制御方法。
【請求項１０】
請求項８または９に記載の画像形成装置の制御方法をコンピュータに実行させることを特徴とするプログラム。
【発明の詳細な説明】
【技術分野】
【０００１】
本発明は、省電力制御を行う画像形成装置、画像形成装置の制御方法、及びプログラムに関するものである。
【背景技術】
【０００２】
省電力機能に対するユーザのニーズが高まるに連れ、画像形成装置においても、省電力機能が強化されている。例えば、以前は一定時間機器が使用されないと機器の大半の電源を落とし、消費電力を極力削減する省電力機能を有する画像形成装置があった。
このように動作する省電力機能においては、ユーザが使用中の際は特に消費電力を削減する動作を行わないため、例えばスキャン機能しか使用してない場合でも、プリントユニットにも通電していた。
さらに省電力機能を強化したものとして、上記のようにユーザがスキャン機能しか使用していない場合には、その他のユニットへの通電を遮断し、動作中での消費電力を削減するものも存在する。このような機器では、ユーザが使おうと思ってから各種ユニットに通電し、使えるようになるまでに、数秒から十数秒といった時間を要するため、ユーザが指示をしても数秒待たされる、などの不便が生じる場合があった。
その不便を解消するため、例えば特許文献1では、人体を検知するセンサを使用し、数秒早くユニットへの通電を開始する等の改善が行われている。
【先行技術文献】
【特許文献】
【０００３】
【特許文献１】特開２０１２−５８６４５号公報
【発明の概要】
【発明が解決しようとする課題】
【０００４】
上記特許文献１に示す画像処理装置では、ユーザが機器を使用中でも、使用予定のないユニットへの通電を遮断する省電力機能においては、ユーザの入力パネル等から指示によりどのユニットが使用されるか、を予測し不要なユニットへの通電を遮断する。
また、ユーザが指示したジョブが終了すると、そのジョブで使用したユニットの通電も遮断する。そして、またユーザが入力パネル等を操作することで、使用が予想されるユニットの通電を継続する。
しかしながら、ユーザ操作をほとんど伴わない断続的なジョブの実行の際は、唐突にジョブが開始されるため、使用ユニットの予測ができず実行時に数秒の遅延が発生し、ユーザに不便が生じる。
例えば、書籍のコピーをする際がそれに該当する。この場合、ユーザは入力パネルを使用してコピー機能を呼び出す。この段階で機器はスキャナユニットとプリンタユニットの使用が予測されるため、それらに通電し、ジョブの開始を待つ。ジョブが終わるとそれらの通電を遮断する。
そして、上記書籍のいずれかのページのコピーが終わると、ユーザは書籍のページをめくり、次に複写が必要なページを探し、コピーを開始しようとするが、何の前触れもなく機器にコピー開始の指示が行われるため、上述の通り数秒の遅延が発生してしまう。このように、ユーザは断続的にコピー開始を指示するような使用態様において、コピーの度に数秒待たされるという不便が生じてしまう。
【０００５】
本発明は、上記の課題を解決するためになされたもので、本発明の目的は、操作者が画像形成装置に近接する位置にいることを検知している間、実行されるジョブの種類に適応して処理手段に対して行うべき省電力制御が開始されないように制御できる仕組みを提供することである。
また、他の目的は、操作者が画像形成装置の圧板手段を操作していることを検知している間、実行されるジョブの種類に適応して各処理手段に対して行うべき省電力制御が開始されないように制御できる仕組みを提供することである。
【課題を解決するための手段】
【０００６】
上記目的を達成する本発明の画像形成装置は以下に示す構成を備える。
ジョブを受け付ける受付手段と、受け付けたジョブを処理する処理手段と、画像形成装置に接近する人体を検知する検知手段と、前記処理手段がジョブを終了した後、前記検知手段が前記人体を検知している間、受け付けたジョブの種類に応じて、前記処理手段への電力の供給が停止されるスリープ状態へ移行させないように制御する制御手段と、を備えることを特徴とする。
【発明の効果】
【０００７】
本発明によれば、操作者が画像形成装置に近接する位置にいることを検知している間、実行されるジョブの種類に適応して処理手段への電力の供給が停止させるスリープ状態へ移行させないように制御できる。
また、操作者が画像形成装置の圧板手段を操作していることを検知している間、実行されるジョブの種類に適応して各処理手段に対して行うべき省電力制御が開始されないように制御できる。
【図面の簡単な説明】
【０００８】
【図１】画像形成装置の構成を説明するブロック図である。
【図２】画像形成装置の制御方法を説明するフローチャートである。
【図３】画像形成装置の制御方法を説明するフローチャートである。
【発明を実施するための形態】
【０００９】
次に本発明を実施するための最良の形態について図面を参照して説明する。
＜システム構成の説明＞
〔第１実施形態〕
図１は、本実施形態を示す画像形成装置の構成を説明するブロック図である。本実施形態では、画像形成装置がプリント機能、スキャナ機能、画像処理機能を備えるＭＦＰ（Ｍｕｌｔｉ  Ｆｕｎｃｔｉｏｎ  Ｐｒｉｎｔｅｒ）を例とするが、ＳＦＰに対応する印刷装置にも適用可能である。また、本実施形態に示す画像形成装置は、ジョブを実行する複数の処理手段として、プリント手段、スキャナ手段、画像処理手段、メモリ手段、データ通信手段を備える。
【００１０】
図１に示す画像形成装置１において、２はスキャナ装置で、原稿から光学的に画像を読み取りデジタル画像に変換する。なお、スキャナ装置２は、原稿給紙ユニット１１、スキャナユニット１２を備える。
４はプリンタ装置で、デジタル画像を紙デバイスに出力する。８は操作部で、本装置を使用するユーザからの操作を受付けて、設定状態や、が画像処理状態等を表示する。１４はハードディスク装置で、スキャナ装置２で読み取られて画像処理されたデジタル画像データや制御プログラム等を記憶する。７はＦＡＸ装置で、電話回線等にデジタル画像を送信する。５は画像処理ユニットで、汎用画像処理部１９を備えて、受信する印刷ジョブからプリンタ装置４が印刷する印刷データを生成する等の処理を行う。
【００１１】
３はコントローラで、ＣＰＵ１３を備え、メモリ１５を使用して種々のデータ処理を行う。ＣＰＵ１３は、ハードディスク装置１４に記憶された各モジュールに指示を出す事により画像形成装置１上でジョブを実行する。
画像形成装置１は、ＬＡＮ９経由でコンピュータ１０からデジタル画像の入出力、ジョブの発行や機器の指示等も行なうことが可能である。
スキャナ装置２は自動的に原稿束を逐次入れ替えることが可能な原稿給紙ユニット１１、原稿を光学スキャンしデジタル画像に変換する事が可能なスキャナユニット１２から成り、変換された画像データはコントローラ３に送信される。
プリンタ装置４は、紙束から一枚ずつ逐次給紙可能な給紙ユニット１８、給紙した紙に画像データを印刷するためのマーキングユニット１６、印刷後の紙を排紙するための排紙ユニット１７から成る。
コントローラ３は、ＣＰＵ１３を有し、スキャナ装置２及びプリンタ装置４と画像データの送受信及び保存を行う。すなわち、コントローラ３ではスキャナ装置２から受信した画像データを、メモリ１５に一時保存する。その後、ハードディスク装置１４へと画像データを格納する事で画像のスキャンと保存が完了する。
【００１２】
コントローラ３は、ハードディスク装置１４から画像データをメモリ１５に一時保存し、メモリ１５からプリンタ装置４に画像データを送信することによりプリント出力を行うことができる。
また、汎用画像処理部１９を有し、メモリ１５に保存した画像データを汎用画像処理部１９で、例えば縮小等の処理を行ったものを再度メモリ１５に保存することが可能な画像処理ユニット５を持っている。この汎用画像処理部１９は必要に応じて各種画像処理を行う際に使用する。
【００１３】
人感センサ４０は、機器の近傍に人体が放射する赤外線を検知することで、画像形成装置１に近接する人体を検知する。具体的には、人感センサ４０は、画像形成装置１に人体が接近しているか遠ざかっているか等を検知することができる。この人感センサ４０は、赤外線を受信する複数のセンサがマトリクス状又はライン状に配置されたセンサアレイである。画像形成装置１は、コントローラ３が制御する操作部８を有し、オペレータ操作もしくは、ＬＡＮ９からの指示をＣＰＵ１３が解釈し、以下に一例を示す多彩なジョブ処理を実行可能である。
【００１４】
〔画像形成装置のジョブ処理機能〕
・複写機能
スキャナ装置２から読み込んだ画像をハードディスク装置１４に保存し、同時にプリンタ装置４を使用して印刷を行なう。
・画像送信機能
スキャナ装置２から読み込んだ画像をハードディスク装置１４に保存し、ＬＡＮ９を経由してコンピュータ１０に送信する。
・画像保存機能
スキャナ装置２から読み込んだ画像をハードディスク装置１４に保存し、必要に応じて画像送信や画像印刷を行なう。
・画像印刷機能
コンピュータ１０から送信された例えばページ記述言語を解析し、プリンタ装置４で印刷する。
・ＦＡＸ受信プリント機能
ＦＡＸ装置７から受信したＦＡＸ画像をハードディスク装置１４に保存し、同時にプリンタ装置４を使用して印刷を行う。
・ＦＡＸ転送機能
ＦＡＸ装置７から受信したＦＡＸ画像をハードディスク装置１４に保存し、同時にＬＡＮ９を経由してコンピュータ１０等に転送する。
【００１５】
・ＦＡＸメモリ受信機能
ＦＡＸ装置７から受信したＦＡＸ画像をハードディスク装置１４に保存し、オペレータからの参照を待つ。
・ＦＡＸ送信機能
スキャナ装置２から読み込んだ画像をハードディスク装置１４に保存し、同時にＦＡＸ装置７から公衆回線に送信する。なお、多くのケースでハードディスク装置１４を介在するのは、ジョブに失敗した場合や、電源断等の異常状態からリカバリするためである。
電源装置６は、画像形成装置１のジョブ処理を行う処理手段に電源を供給する。なお、画像形成装置１がＯＦＦ時、ＡＣ電源２９はスイッチ３０により絶縁されている。
ユーザがスイッチ３０をＯＮにすることでＡＣ−ＤＣコンバータ２０にＡＣ電源が供給され、ＤＣ電源が作られる。本実施形態に示す画像形成装置１では、電源制御部５０の指示により装置全体を４つの独立した電源制御が可能である。
【００１６】
すなわち、電源制御部５０から出力される制御信号２１によってスイッチ２１ａがＯＮ状態又はＯＦＦ状態になる。これにより、コントローラ部電力２５の電源がＯＦＦまたはＯＮになる。また、電源制御部５０から出力される制御信号２２によってスイッチ２１ｂがＯＮ状態又はＯＦＦ状態になる。これにより、プリンタ部電力２８の電源がＯＦＦまたはＯＮになる。また、電源制御部５０から出力される制御信号２３によってスイッチ２１ｃがＯＮ状態又はＯＦＦ状態になる。これにより、スキャナ部電力２６の電源がＯＦＦまたはＯＮになる。電源制御部５０から出力される制御信号２４によってスイッチ２１ｄがＯＮ状態又はＯＦＦ状態になる。これにより、汎用画像処理部電力２７の電源がＯＦＦまたはＯＮになる。電源制御部５０はこれらのスイッチ２１ａ〜２４ｄを制御することで、適切に画像形成装置１の必要な場所に電力を供給する。以下に各電力状態ついて記載する。
【００１７】
〔電源供給状態に基づく電力状態〕
・スリープ状態
画像形成装置１がスリープ状態時には、画像形成装置１自体の電力を可能な限り落した状態である。具体的には、電源制御部５０の周辺デバイスは一般的なサスペンド状態（ＡＣＰＩ−Ｓ３等）とし、ジョブを検出可能な部分（スリープ時電力３１）のみの通電を行い、装置全体の電力を非常に少ない電力状態にすることができる。
具体的には、電源制御部５０は装置の状態をメモリ１５に保存し、スイッチ２１ａをＯＦＦ状態にしてコントローラ部電力２５の電源を落とす。この時、スリープ時電力３１によりメモリ１５の内容が保持される。また、スリープ時電力３１によりＬＡＮ９やＦＡＸ装置７への電力供給が維持されるので、ジョブを受信することができる。
そして、例えばＬＡＮ９からのネットワーク受信、ＦＡＸ装置７からのＦＡＸコール、操作部８の操作がなされた時に、電源制御部５０がスイッチ２１ａをＯＮ状態にしてコントローラ部電力２５がＯＮとなる。
ＣＰＵ１３は装置の状態をメモリ１５から読み出して、再設定を行い、コントローラ部電力２５の電源がＯＦＦされる直前の状態に復帰し、スタンバイ状態へと移行する。
【００１８】
・スタンバイ状態
画像形成装置１がスタンバイ状態時には、コントローラ部電力２５が通電されている状態である。例えば、画像形成装置１は、スリープ状態で操作部８のスリープ復帰ボタンがユーザによって押下された場合に、スタンバイ状態に移行するプリンタ部電力２８、スキャナ部電力２６、汎用画像処理部電力２７はＯＦＦとなっている。そして、電源制御部５０は、ジョブを実行する場合に、当該ジョブの実行に必要なデバイスに電力を供給する。例えば以下のようにジョブ種に応じて各デバイスの電源をＯＮにする。
・複写ジョブ
電源制御部５０は、スキャナ部電力２６とプリンタ部電力２８をＯＮにし、先に述べたように複写機能を実現する。
・画像送信ジョブ
電源制御部５０は、スキャナ部電力２６のみをＯＮにし、読みとった画像データを送信する。
【００１９】
・画像保存ジョブ
電源制御部５０は、スキャナ部電力２６のみをＯＮにし、スキャナ装置２によって読みとられた画像データがハードディスク装置１４に保存される。
・画像印刷ジョブ
電源制御部５０は、プリンタ部電力２８のみをＯＮにし、プリンタ装置４が様々な画像データを印刷する。
・ＦＡＸ受信プリントジョブ
電源制御部５０は、プリンタ部電力２８と汎用画像処理部電力２７をＯＮにし、受信したＦＡＸ画像に汎用画像処理部１９が画像処理を施して、プリンタ装置４が画像処理された画像データを用いて印刷をする。
・ＦＡＸ転送ジョブ
電源制御部５０は、汎用画像処理部電力２７のみをＯＮにし、ＦＡＸ受信したデータを汎用画像処理部１９が画像処理したのちに転送する。
【００２０】
・ＦＡＸメモリ受信ジョブ
電源制御部５０は、汎用画像処理部電力２７のみをＯＮにし、ＦＡＸ受信したデータを汎用画像処理部１９が画像処理した後、ＣＰＵ１３がハードディスク装置１４に保存する。
・ＦＡＸ送信ジョブ
スキャナ部電力２６と汎用画像処理部電力２７をＯＮにし、スキャナ装置２によって読み込まれたＦＡＸ画像データをＦＡＸ装置７が公衆回線に送信する。
ジョブが完了したらデバイスの電源を落とすことで、使用する時だけ必要なデバイスのみを通電させることが可能となり、スタンバイ時の待機電力を削減することが可能となる。
【００２１】
また、上記の機能を実行するのに先立って、ユーザが操作部８にて操作を開始したり、ＬＡＮ９を経由してデータを受信したりするのをきっかけに、使用が予測される処理部の電源をＯＮする。これにより各処理部が使用可能になるまでの時間を短縮することで、速やかにジョブの処理が出来るようになる。
【００２２】
図２は、本実施形態を示す画像形成装置１の制御方法を説明するフローチャートである。本例は、画像形成装置１を操作するユーザによる断続的な動作に適応した電源切替制御例である。以下、原稿として原稿給紙ユニット１１が使用出来ない書籍などを対象としたコピー動作における、スキャナ部電力２６やプリンタ部電力２８の制御を詳述する。
【００２３】
ユーザが書籍のコピーを行う際は、原稿給紙ユニット１１を移動させ原稿台ガラス（図示しない）上に書籍を配置し、コピーを行う。
ユーザが操作部８を使用してコピー動作を指示すると、ＣＰＵ１３は、まずスイッチ２１ｃおよびスイッチ手段２１ｂの状態からスキャナ部電力２６とプリンタ部電力２８の電源状態がＯＮ状態であるかどうかを判断する（Ｓ１００）。ここで、スキャナ部電力２６とプリンタ部電力２８の電源状態がＯＮ状態でないとＣＰＵ１３が判断した場合、ＣＰＵ１３は、電源制御部５０に指示をする。ＣＰＵ１３から指示を受けた電源制御部５０は、スイッチ手段２１ｃおよびスイッチ手段２１ｂをオン状態に遷移させ、スキャナ部電力２６とプリンタ部電力２８をＯＮにする（Ｓ１０１）。なお、Ｓ１００，Ｓ１０１では、実際にはユーザが操作部８を操作している段階で行われ、コピー動作が指示された時には既にこれらの電源はＯＮになっていることもある。
【００２４】
次に、電源装置６から上記各電力が供給されたら、先に記載した複写機能の処理（複写ジョブ）を実行する（Ｓ１０２）。複写ジョブが完了したら、ＣＰＵ１３は、実行した複写ジョブが断続的に動作するものか否かを判断する（Ｓ１０３）。この場合、ＣＰＵ１３は、原稿台ガラスを使ったコピーかどうかを判断する。なお、この状態で、画像形成装置１は複合動作をするため、操作しているユーザ以外がＬＡＮ９を経由してジョブを投入することがあるが、それは判断対象としない。
【００２５】
ここで、断続的に動作しないジョブであるとＣＰＵ１３が判断した場合、Ｓ１０６へ進み、ＣＰＵ１３は電源制御部５０に指示をする。指示を受けた電源制御部５０は、スイッチ２１ｂ，２１ｃをオフ状態に遷移させ、スキャナ部電力２６とプリンタ部電力２８をＯＦＦにして、本処理を終了する。
一方、Ｓ１０３で、上記したコピーが断続的に動作が可能であるとＣＰＵ１３が判断した場合、以下のＳ１０４，Ｓ１０５の処理を一定間隔で繰り返す。
具体的には、ＣＰＵ１３が人感センサ４０の情報を使用し、操作しているユーザがまだ機器のそばにいるか、それとも離れたかを判断する（Ｓ１０４）。ここで、人感センサ４０の情報から、人体を検知していないとＣＰＵ１３が判断した場合、ユーザは機器から離れ新たなジョブは実行されないと判断し、Ｓ１０６に進む。Ｓ１０６において、電源制御部５０は、ＣＰＵ１３からの指示を受けて、スキャナ装置２およびプリンタ装置４の電源をオフ（遮断）にする。
【００２６】
一方、Ｓ１０４において、ＣＰＵ１３が人感センサ４０の情報から、人体を検知しているとＣＰＵ１３が判断した場合、電源制御部５０は、スキャナ装置２およびプリンタ装置４の電源をオフにしない。
そして、Ｓ１０５で、ユーザ操作により、新たなジョブが指示されたとＣＰＵ１３が判断した場合、Ｓ１０２に戻り、ジョブを実行する。
これにより、人感センサ４０が操作を検知している状態において、新規ジョブがある場合は、即座にスリープ状態へ移行しないように制御でき、書籍のコピー等のように断続的な操作指示がなされても、省電力制御によるジョブ実行まで遅延時間が発生せず、迅速に複写処理を実行できる。
【００２７】
〔第２実施形態〕
図３は、本実施形態を示す画像形成装置１の制御方法を説明するフローチャートである。本例は、人感センサ４０を有さない画像形成装置１の、断続的な動作における電源制御例である。
以下、原稿として原稿給紙ユニット１１が使用出来ない書籍などを対象としたコピー動作における、スキャナ部電力２６やプリンタ部電力２８の制御を詳述する。特に本実施形態では、原稿台ガラスに載置される原稿を押圧する圧板の開閉状態を検知し、開閉変化がある場合には、スキャナ部電力２６やプリンタ部電力２８の制御を制限する例である。
なお、本実施形態では、原稿給紙ユニット１１が移動し、原稿台ガラスが使用出来る状態にあるかどうかを検知する圧板開閉センサ（図示しない）がスキャナユニット１２に含まれているものとする。
本実施形態における処理の一部は図２と共通の処理であるため、第１実施形態と異なる処理を説明する。
【００２８】
Ｓ１０３で、ＣＰＵ１３は、上記実行したジョブの種類が断続的に動作が可能なものかを判断する。ここで、断続的動作が可能であるとＣＰＵ１３が判断した場合、以下のＳ２００，Ｓ２０１，Ｓ２０２の処理を一定間隔で繰り返す。
まず、ＣＰＵ１３は、スキャナユニット１２に含まれる圧板開閉センサの情報を使用し、原稿台ガラスが使える状態か否かを判断する（２００）。ここで、原稿台ガラスが使えない状態であるとＣＰＵ１３が判断した場合、ＣＰＵ１３は、新たなジョブは実行されないと判断し、Ｓ１０６に進む。
そして、Ｓ２０１で、ＣＰＵ１３は、ユーザ操作により、新たなジョブが指示されているかどうかを判断する。ここで、新たなジョブが指示されているとＣＰＵ１３が判断した場合、Ｓ１０２に進む。
【００２９】
一方、Ｓ２０１で、新たなジョブが指示されていないとＣＰＵ１３が判断した場合、ＣＰＵ１３は、所定の時間原稿台ガラスが使える状態のままである時間を計測する処理を開始し、その時間が一定時間を越えているかどうかを判断する（Ｓ２０２）。
ここで、ＣＰＵ１３がその時間が一定時間を越えていると判断した場合、ユーザが原稿給紙ユニット１１を移動させたまま放置して機器を離れたと判断し、Ｓ１０６に進む。
これにより、人感センサ４０を備えていない画像形成装置１であっても、圧板の操作を検知している状態において、新規ジョブの有無を適切に判断して、電力の供給を停止させないように、具体的には即座に省電力状態へ移行しないように制御でき、書籍のコピー等のように断続的な操作指示がなされても、省電力制御によるジョブ実行まで遅延時間が発生せず、迅速に複写処理を実行できる。
なお、上記各実施形態では、書籍の複写ジョブを例として説明したが、ユーザから断続的な操作指示を受け付けて実行されるジョブであれば、上記複写ジョブに限らず、ＦＡＸジョブ等にも適用可能である。
【００３０】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００３１】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００３２】
３  コントローラ
６  電源装置
１３  ＣＰＵ
【図１】
2015099172.tif 000003
【図２】
2015099172.tif 000004
【図３】
2015099172.tif 000005